(57)【要約】【課題】受け皿に貯留された遊技球を収容ケース内に均等に振り分ける。【解決手段】スライドレバー４０を操作すると、スライド板４２が初期位置と第１開放位置と第２開放位置との間でスライドする。スライド板４２が初期位置へ移動されると、蓋部４８により球抜き孔３６が塞がれる。スライド板４２が第１開放位置へ移動されると、球抜き孔３６の真下に開口５０の第１領域５０ａが配置され、下皿３４に貯留された遊技球が球抜き孔３６の真下へ向けて排出される。スライド板４２が第２開放位置へ移動されると、球抜き孔３６の真下に開口５０の第２領域５０ｂが配置される。また、このとき振り分け板５２が、右側へ向けて傾斜した状態で球抜き孔３６の下方に挿入される。これにより、下皿３４に貯留された遊技球が球抜き孔３６の右下方へ向けて排出される。【選択図】図４
2010136876.tif 000002
【特許請求の範囲】
【請求項１】
パチンコ機本体から払い出された遊技球を貯留する受け皿の底部に球抜き孔が形成されたパチンコ機において、
球抜き孔を開放する開き位置と、球抜き孔を塞ぐ閉じ位置との間で水平方向にスライド自在に設けられた開閉部材と、
球抜き孔から落下する遊技球の落下経路に挿入されて遊技球の落下方向を変化させる挿入位置と、前記落下経路から退避した退避位置との間でスライド自在の振り分け部材と、
初期位置と第１開放位置と第２開放位置との間でスライド自在の駆動レバーと、
開閉部材、振り分け部材、駆動レバーと連結され、駆動レバーが初期位置に移動された際にこれに連動して開閉部材を閉じ位置へ移動させ、駆動レバーが第１開放位置へ移動された際にこれに連動して開閉部材を開き位置、振り分け部材を退避位置へ移動させ、駆動レバーが第２開放位置へ移動された際にこれに連動して開閉部材を開き位置、振り分け部材を挿入位置へ移動させる連動機構とを備えたことを特徴とするパチンコ機。
【請求項２】
振り分け部材は、開閉部材に取り付けられており、
開閉部材は、球抜き孔を塞ぐ蓋部と、球抜き孔を開放する第１、第２の２つの領域を有する開口とを備えており、駆動レバーが初期位置へ移動された際に蓋部が球抜き孔の下方に配置され、駆動レバーが第１開放位置へ移動された際に第１領域が球抜き孔の下方に配置され、駆動レバーが第２開放位置へ移動された際に第２領域が球抜き孔の下方に配置され、かつ、この第２領域の下方に振り分け部材が配置されることを特徴とする請求項１記載のパチンコ機。
【請求項３】
振り分け部材は、板状に形成され、退避位置において水平なベース板上に配置されており、このベース板から押し出されて挿入位置へと移動されるとともに、押し出し方向とは反対側の端部に、押し出し方向とは垂直な回転軸が設けられ、挿入位置へ移動された際に、自重により回転軸を中心に回動してベース板に対して所定角度傾いた位置へと移動し、移動部材が退避位置へと移動する際にベース板により下方から押圧されて回転軸を中心に回動してベース板と平行な位置へと移動することを特徴とする請求項１または２記載のパチンコ機。
【発明の詳細な説明】
【技術分野】
【０００１】
本発明は、パチンコ店などの遊技場で用いられるパチンコ機に関するものである。
【背景技術】
【０００２】
パチンコ機の前面には、パチンコ機本体から払い出された遊技球を貯留するための受け皿が設けられている。受け皿の底部には、スライド式の蓋によって開閉される球抜き孔が設けられており、受け皿が満タンとなった場合は、受け皿の下方にいわゆる「ドル箱（登録商標）」と呼ばれる収容ケースをセットして、球抜き孔を開放することで、受け皿に貯留された遊技球を収容ケースに移すことができる。
【０００３】
しかし、収容ケースに移される遊技球は収容ケースのうち球抜き孔の下方部分に高く積もるため、遊技球を収容ケースに移す際には遊技者が手で遊技球を平らに均す必要があり面倒であった。このため、下記特許文献１に記載されているように、モータなどの駆動手段により球抜き孔を移動させるようにしたものもある。また、下記特許文献２に記載されているように、球抜き孔を塞ぐ水平な位置と球抜き孔を開放する垂直な位置との間で、蓋を回動自在に設け、蓋の角度を遊技者が調節できるようにしたものもある。これらによれば、収容ケース内に均等に遊技球を振り分けることができ、遊技者の負担を軽減できる。
【特許文献１】特開平１０−１７９８７４
【特許文献２】特開２００４−０４９７２９
【発明の開示】
【発明が解決しようとする課題】
【０００４】
しかしながら、上記特許文献１記載の装置では、球抜き孔を移動させるための駆動手段を設ける必要がありコストがかかってしまうといった問題があった。また、上記特許文献２記載の装置では、受け皿に貯留された遊技球の重さで球抜き孔が開放されてしまい、遊技者が意図しないタイミングで受け皿から遊技球が落下してしまうといった問題があった。
【０００５】
本発明は、上記背景を鑑みてなされたものであり、コストをかけずに、受け皿に貯留された遊技球を収容ケース内に均等に振り分けることができるパチンコ機を提供することを目的としている。また、本発明は、受け皿に貯留された遊技球を収容ケース内に均等に振り分けることができ、かつ、受け皿に貯留された遊技球が遊技者の意図しないタイミングで落下することのないパチンコ機を提供することを目的としている。
【課題を解決するための手段】
【０００６】
上記目的を達成するために、本発明のパチンコ機は、パチンコ機本体から払い出された遊技球を貯留する受け皿の底部に球抜き孔が形成されたパチンコ機において、球抜き孔を開放する開き位置と、球抜き孔を塞ぐ閉じ位置との間で水平方向にスライド自在に設けられた開閉部材と、球抜き孔から落下する遊技球の落下経路に挿入されて遊技球の落下方向を変化させる挿入位置と、前記落下経路から退避した退避位置との間でスライド自在の振り分け部材と、初期位置と第１開放位置と第２開放位置との間でスライド自在の駆動レバーと、開閉部材、振り分け部材、駆動レバーと連結され、駆動レバーが初期位置に移動された際にこれに連動して開閉部材を閉じ位置へ移動させ、駆動レバーが第１開放位置へ移動された際にこれに連動して開閉部材を開き位置、振り分け部材を退避位置へ移動させ、駆動レバーが第２開放位置へ移動された際にこれに連動して開閉部材を開き位置、振り分け部材を挿入位置へ移動させる連動機構とを備えたことを特徴としている。
【０００７】
振り分け部材は、開閉部材に取り付けられており、開閉部材は、球抜き孔を塞ぐ蓋部と、球抜き孔を開放する第１、第２の２つの領域を有する開口とを備えており、駆動レバーが初期位置へ移動された際に蓋部が球抜き孔の下方に配置され、駆動レバーが第１開放位置へ移動された際に第１領域が球抜き孔の下方に配置され、駆動レバーが第２開放位置へ移動された際に第２領域が球抜き孔の下方に配置され、かつ、この第２領域の下方に振り分け部材が配置されるものでもよい。
【０００８】
また、振り分け部材は、板状に形成され、退避位置において水平なベース板上に配置されており、このベース板から押し出されて挿入位置へと移動されるとともに、押し出し方向とは反対側の端部に、押し出し方向とは垂直な回転軸が設けられ、挿入位置へ移動された際に、自重により回転軸を中心に回動してベース板に対して所定角度傾いた位置へと移動し、移動部材が退避位置へと移動する際にベース板により下方から押圧されて回転軸を中心に回動してベース板と平行な位置へと移動するものでもよい。
【発明の効果】
【０００９】
本発明によれば、遊技者が駆動レバーの位置を変更することによって、受け皿に貯留された遊技球を収容ケース内に均等に振り分けることができるので、モータにより球抜き孔を移動させる場合と比較してコストを抑えることができる。また、本発明によれば、水平方向にスライド自在の開閉部材によって、球抜き孔を塞ぐようにしたので、受け皿に貯留された遊技球が遊技者の意図しないタイミングで落下することがない。
【発明を実施するための最良の形態】
【００１０】
図１に示すように、パチンコ機１０の前面には、ガラス窓１２、発射ハンドル１４が設けられている。ガラス窓１２の背後には遊技盤１６が配置されている。遊技盤１６は、略円形の遊技領域１８を備え、ガラス窓１２を介して遊技領域１８を視認できるようになっている。遊技領域１８には、各種演出画像の表示や図柄の変動表示を行う液晶ディスプレイ２０、始動入賞口２２や大入賞口２４などの入賞口、大入賞口２４を開閉するアタッカ２６などが設けられている。
【００１１】
パチンコ機１０では、発射ハンドル１４が回動されると、これに応じて遊技領域１８に遊技球が打ち出される。打ち出された遊技球が始動入賞口２２に入賞すると、所定個数の遊技球が賞球として払い出される。また、遊技球が始動入賞口２２に入賞すると、当たり抽選が実行されて、当たりまたはハズレが決定されるとともに、液晶ディスプレイ２０において図柄の変動表示が開始される。そして、変動表示後に停止表示する図柄の組合せによって当たり抽選の結果が報知される。
【００１２】
当たり抽選の結果、当たりとなるとパチンコ機１０は大当たりモードへと移行する。大当たりモードではアタッカ２６が開閉されて大入賞口２４へと遊技球を入賞させることが可能となる。大入賞口２４は、遊技球が入賞した際に払い出される賞球の個数が始動入賞口２２よりも多く設定されている。これにより、大当たりモードでは大量の賞球を得ることができる。
【００１３】
また、パチンコ機１０の前面には、払い出された賞球を受けるための受け皿３０が設けられている。受け皿３０は、上皿３２と、下皿（受け皿）３４とから構成される。上皿３２と下皿３４は、上下に並べて配置されている。上皿３２には、払い出し口３２ａと、排出口３２ｂとが設けられており、賞球は払い出し口３２ａから上皿３２に払い出される。また、上皿３２が満タンとなると、上皿３２に貯留された遊技球が排出口３２ｂから排出される。排出口３２ｂは、図示しない連絡通路により下皿３４と連結されている。そして、排出口３２ｂから排出された遊技球は、連絡通路を介して下皿３４に投入される。
【００１４】
図２に示すように、下皿３４の底部には、下皿３４に貯留された遊技球を排出するための円形の球抜き孔３６が形成されている。また、下皿３４の前面には、水平方向（左右方向）に長い開口３８が形成されており、この開口３８から、球抜き孔３６を開閉するためのスライドレバー（駆動レバー）４０が露呈されている。そして、パチンコ機１０では、下皿３４が満タンとなった際や遊技を終了する際には、球抜き孔３６の下方に収容ケース４１（図１参照）をセットした後、スライドレバー４０を操作して球抜き孔３６を開放することで、下皿３４に貯留された遊技球を収容ケース４１に移すことができる。
【００１５】
しかし、下皿３４に貯留された遊技球が球抜き孔３６の真下にのみ排出されると、下皿３４から排出された遊技球が収容ケース４１のうち球抜き孔３６の真下にのみ積もってしまい、遊技者が手で遊技球を平らに均す必要があり面倒である。このため、パチンコ機１０では、スライドレバー４０の操作により、下皿３４に貯留された遊技球を球抜き孔３６の真下に排出するか、球抜き孔３６の斜め下方に排出するかを選択できるようにしている。
【００１６】
以下、スライドレバー４０の操作により遊技球の排出方向を選択できる下皿３４の具体的な構成について説明する。図３に示すように、下皿３４は、球抜き孔３６の下方にスライド板４２とベース板４４とが配置されている。スライド板４２は、矩形の本体４６と、前述のスライドレバー４０とが一体に形成されたものであり、本体４６から前方へ向けて延びるようにスライドレバー４０が形成されている。
【００１７】
本体４６には、右から順に蓋部（開閉部材）４８と開口５０とが設けられている。蓋部４８は、球抜き孔３６よりも一回り大きく形成され、球抜き孔３６の真下に配置された際に球抜き孔３６を塞ぐ機能を有する。開口５０は、左右方向の略中央部を挟んで右側が第１領域５０ａ、左側が第２領域５０ｂとなっている。第１領域５０ａ、及び第２領域５０ｂは、共に球抜き孔３６よりも一回り大きく形成され、球抜き孔３６の真下に配置された際に球抜き孔３６を開放する機能を有する。
【００１８】
また、第２領域５０ｂには、振り分け板（振り分け部材）５２が配置されている。振り分け板５２は、第２領域５０ｂよりも僅かに小さく形成されている。また、振り分け板５２は、左側の端部に、前後に長い回転軸５２ａが設けられている。そして、振り分け板５２は、この回転軸５２ａが第２領域５０ｂの左側の端部に軸着されて、回転軸５２ａを中心に回動自在に保持されている。
【００１９】
ベース板４４には、窪み５４が形成されている。窪み５４は、スライド板４２よりも水平方向（左右方向）の長さが長く形成されており、スライド板４２（スライドレバー４０）は、この窪み５４の内部に収められ、蓋部４８を球抜き孔３６の真下に位置させる初期位置と、開口５０の第１領域５０ａを球抜き孔３６の真下に位置させる第１開放位置と、開口５０の第２領域５０ｂを球抜き孔３６の真下に位置させる第２開放位置との間で、左右方向にスライド自在に保持されている（図４参照）。
【００２０】
窪み５４には、貫通孔５６が形成されている。貫通孔５６は、一辺の長さが球抜き孔３６の直径とほぼ等しい矩形に形成されており、球抜き孔３６の真下に位置するように窪み５４の略中央部に設けられている。また、貫通孔５６の左側壁の上部は切り欠かれており、右上方を向くように傾斜された傾斜面５６ａが形成されている。さらに、貫通孔５６の右側壁の下部は切り欠かれており、左下方を向くように傾斜された傾斜面５６ｂが形成されている（図４参照）。
【００２１】
パチンコ機１０では、図４（Ａ）に示すように、スライドレバー４０を操作して、スライド板４２を初期位置へ移動させると、蓋部４８が球抜き孔３６の真下に配置され（蓋部４８が閉じ位置へ移動し）、球抜き孔３６が塞がれる。これにより、下皿３４に遊技球を貯留できる。また、同図（Ｂ）に示すように、スライドレバー４０を操作して、スライド板４２を第１開放位置へ移動させると、蓋部４８が球抜き孔３６の真下から退避（蓋部４８が開き位置へ移動）するとともに、球抜き孔３６の真下に開口５０の第１領域５０ａが配置（振り分け板５２が退避位置へ移動）される。これにより、下皿３４に貯留された遊技球を、球抜き孔３６の真下へ向けて排出できる。
【００２２】
さらに、図４（Ｃ）に示すように、スライドレバー４０を操作して、スライド板４２を第２開放位置へ移動させると、蓋部４８が球抜き孔３６の真下から退避（蓋部４８が開き位置へ移動）するとともに、球抜き孔３６の真下に開口５０の第２領域５０ｂが配置される。また、スライド板４２が第２開放位置へ移動されると、振り分け板５２が、傾斜面５２ａにより下方から支持されて球抜き孔３６の下方で右側へ向けて傾斜した状態となるまで自重により回動する（振り分け板５２が挿入位置へ移動する）。これにより、下皿３４から排出される遊技球の排出方向を、球抜き孔３６の右下方へ変更できる。また、このとき、貫通孔５６の右側壁の下部が切り欠かれて傾斜面５６ｂとされているので、遊技球を右下方へ向けてスムーズに排出できる。
【００２３】
なお、振り分け板５２は、スライド板４２を第２開放位置から初期位置へ向けて移動させると、ベース板４４により押し上げられるように回動し、スライド板４２が第１開放位置、または、初期位置へ移動したときに、ベース板４４の上面により下方から支持されて略水平に保持される（図４（Ａ）、同図（Ｂ）参照）。このように、遊技球の落下方向を変化させないときに振り分け板５２を水平に保持することで、下皿３４の上下の厚みを抑えることができる。
【００２４】
以上のように、パチンコ機１０では、スライド板に、蓋部、振り分け板、スライドレバーを設け、このスライド板をスライド自在としたので、スライド板自身が、スライドレバーの移動に連動して蓋部と振り分け部材とを変位させる連動機構として機能する。そして、パチンコ機１０では、スライド板（スライドレバー）を移動させることで、下皿から排出される遊技球の排出方向を変化させることができる。このため、下皿に貯留された遊技球を収容ケース内に均等に振り分けることができる。
【００２５】
また、パチンコ機１０では、スライドレバーを操作する操作力によってスライド板が移動するようにした。このため、モータによりスライド板を移動させる場合と比較してコストを抑えることができる。さらに、パチンコ機１０では、水平方向にスライドする蓋部によって、球抜き孔を塞ぐようにした。このため、下皿に貯留された遊技球の重さによって球抜き孔が開放され、遊技者の意図しないタイミングで下皿から遊技球が落下してしまうといったこともない。
【００２６】
なお、上記実施形態では、振り分け板をスライド板に回動自在に取り付けた例で説明をしたが、例えば、図５に示す下皿６０のように、振り分け板６２をスライド板６４に固定してもよい。この下皿６０では、上述した実施形態と同様のスライドレバーがスライド板６４と一体に形成されている。スライド板６４は、スライドレバーの操作に連動して図５（Ａ）に示す初期位置と、同図（Ｂ）に示す第１開放位置と、同図（Ｃ）に示す第２開放位置との間でスライド自在に設けられている。
【００２７】
振り分け板６２は、右側へ向けて傾くように形成されており、開口５０の左端部に固定されている。そして、スライド板６４が第２開放位置に移動された際に、球抜き孔３６の下方に挿入される。このような構成としても、スライドレバーを操作することで下皿から排出される遊技球の排出方向を変化させることができる。なお、図５以降の図面を用いた説明では、前述した実施形態と同様の部材については同様の符号を付して説明を省略している。
【００２８】
また、上記実施形態では、蓋部とスライド板とを一体に設けた例で説明をしたが、例えば、図６に示す下皿７０のように、蓋部７２とスライド板７４とを別体に設けてもよい。この下皿７０では、上述した実施形態と同様のスライドレバーが蓋部７２と一体に形成されている。そして、蓋部７２は、スライドレバーの操作に連動して図６（Ａ）に示す第１位置と、同図（Ｂ）に示す第２位置と、同図（Ｃ）に示す第３位置との間でスライド自在に設けられている。
【００２９】
スライド板７４には、開口５０と振り分け板５２とが設けられている。そして、スライド板４２は、図６（Ｂ）に示ように球抜き孔３６から落下する遊技球の落下経路から振り分け板５２を退避させた退避位置と、同図（Ｃ）に示すように球抜き孔３６から落下する遊技球の落下経路に振り分け板５２を挿入する挿入位置との間でスライド自在に設けられている。
【００３０】
また、下皿７０には、蓋部７２の右端部から下方へ向けて突出する突起７２ａ、蓋部７２の左端部から下方へ向けて突出する突起７２ｂ、並びに、スライド板７４の右端部から上方へ向けて突出する突起７４ａが形成されている。突起７２ａは、蓋部７２が第１位置へ移動される際に、突起７４ａを押圧してスライド板７４を退避位置へ移動させる機能を有する。また、突起７２ｂは、蓋部７２が第３位置へ移動される際に、突起７４ａを押圧してスライド板７４を挿入位置へ移動させる機能を有する。このような構成としても、スライドレバーを操作することで下皿から排出される遊技球の排出方向を変化させることができる。
【００３１】
また、上記実施形態は、スライドレバーを、スライド板（または、蓋部）と一体に形成した例で説明をしたが、スライド板（または、蓋部）と別体にスライドレバーを設けてもよい。この場合、スライド板（または、蓋部）とスライドレバーとを、例えば、ギアやカムなどからなる周知の連結機構により連結することによって、スライドレバーの移動に連動してスライド板や蓋部が移動するようにすればよい。
【００３２】
さらに、上記実施形態では、受け皿が上皿と下皿とからなるパチンコ機に本発明を適用する例で説明をしたが、上皿と下皿が一体に形成されたパチンコ機に本発明を適用してもよい。
【図面の簡単な説明】
【００３３】
【図１】パチンコ機の外観を示す斜視図である。
【図２】下皿の外観を示す斜視図である。
【図３】下皿の分解図である。
【図４】下皿の断面図である。
【図５】下皿の断面図である。
【図６】下皿の断面図である。
【符号の説明】
【００３４】
１０  パチンコ機
３４、６０、７０  下皿（受け皿）
３６  球抜き孔
４０  スライドレバー（駆動レバー）
４２  スライド板
４８  蓋部（開閉部材）
５０  開口
５０ａ  第１領域
５０ｂ  第２領域
５２  振り分け板（振り分け部材）
５２ａ  回転軸
５６  貫通孔
５６ａ、５６ｂ  傾斜面
【図１】
2010136876.tif 000003
【図２】
2010136876.tif 000004
【図３】
2010136876.tif 000005
【図４】
2010136876.tif 000006
【図５】
2010136876.tif 000007
【図６】
2010136876.tif 000008